(57)【要約】      【課題】  組立箱の特徴である組立容易性を損なうことなく、突起部の構造強化を図ることができる被せ箱形式の組立箱を提供する。    【解決手段】  蓋箱を身箱に重ねたときに、蓋箱の突起部を身箱の外側板の上縁に係止させる被せ箱形式の組立箱において、蓋箱は、矩形状の天板の相対する２辺縁から連設される一対の第一外側板と、該第一外側板の先端から折目線部を介して連設される内側板と、天板の残りの相対する２辺縁から連設される一対の第二外側板とを備え、内側板の側部から折目線部を介して突片を連設し、該突片中に１又は複数の折曲線部を設け、突片の先端を係止するための切り込み部を内側板に形成し、突片中の折目線部で折り曲げると共に、突片の先端を内側板の切り込み部を係止することにより突起部を形成したことを特徴とする。  【選択図】    図４
2007069919.tif 000002
【特許請求の範囲】
【請求項１】
商品を収容するシート材製の身箱と、内側に突起部を有するシート材製の蓋箱とを備え、前記蓋箱を前記身箱に重ねたときに、蓋箱の突起部を前記身箱の外側板の上縁に係止させる被せ箱形式の組立箱において、
前記蓋箱は、矩形状の天板の相対する２辺縁から連設される一対の第一外側板と、該第一外側板の先端から折目線部を介して連設される内側板と、天板の残りの相対する２辺縁から連設される一対の第二外側板とを備え、
前記内側板の側部から折目線部を介して突片を連設し、該突片中に１又は複数の折曲線部を設け、
前記突片の先端を係止するための切り込み部を前記内側板に形成し、
前記突片中の前記折目線部で折り曲げると共に、前記突片の先端を前記内側板の前記切り込み部を係止することにより前記突起部を形成したことを特徴とする被せ箱形式の組立箱。
【請求項２】
前記突片中に１の前記折曲線部を形成することにより、前記内側板と連続する第一突片部と該第一突片部を連続する第二突片部とを形成し、
前記第一突片部及び前記第二突片部を前記突片中の前記折目線部で折り曲げることによって平面視Ｖ字状の前記突起部を形成したことを特徴とする請求項１に記載の被せ箱形式の組立箱。
【請求項３】
一対の前記第二外側板を前記天板の両側の前記折目線部で下方に折り曲げ、前記第一外側板の内側に折り返された前記内側板の両側縁が一対の前記第二外側板の内側面に摩擦係止して前記内側板が元に戻らないように、前記内側板の幅寸法を、折り曲げられた一対の前記第二外側板の内寸法よりも僅かに大きくなるように設定したことを特徴とする請求項１又は２に記載の被せ箱形式の組立箱。
【発明の詳細な説明】
【技術分野】
【０００１】
本発明は、贈答等に用いられる被せ箱形式の組立箱に関するものである。
【背景技術】
【０００２】
中元や歳暮などの商品を収容する組立箱として、蓋箱と身箱とからなる被せ箱形式の贈答箱が従来から一般的に使用されているが、図７のように商品Ｇの上部を身箱１００の上面開口部から突出させて販売時の商品Ｇの見栄えを良くしたものが提案されている。
【０００３】
そして、このような贈答箱においては、該贈答箱を積重ねたときに下段の組立箱に加わる荷重によって商品が損傷しないように、図８（ａ）のように蓋箱２００の内側に突起部２０１を設け、該突起部２０１を身箱１００の上縁に係止されることによって蓋箱２００の天板が商品Ｇの高さにまで沈まないように設計されている。また、同図（ｂ）のように商品展示のときには、突起部２０１によって商品Ｇの位置を高くして見栄えを良くすることができる。
【０００４】
そして、突起部２０１の構造は、図９のように蓋箱の前後左右の外側板２０２から折目線部を介して内側板２０３を連設し、相対する内側板２０３の両側部に矩形の切欠部２０４を設け、他方の相対する内側板２０３の両側部に横切込線２００ｂを設け、該横切込線２００ｂの端部２００Ｐを始点とする縦折目線部２００ｃを介して斜め片２０５を連設し、該斜め片２０５の先端に縦折目線部２００ｄを介して衝突片２０６を連設し、図１０のように斜め片２０５及び衝突片２０６を折り曲げて衝突片２０６を切欠部２０４に対応する外側板２０２の内面に重合させ且つ衝突片２０６の先端切断面を切欠部２０４における内側板２０３の切断面に衝突させたものが提案されている（特許文献１等）。
【特許文献１】実開昭５８−１４９３１９号公報
【発明の開示】
【発明が解決しようとする課題】
【０００５】
かかる突起部２０１の構造においては、突起部２０１の主構成部材である斜め材２０５で蓋箱２００を支持することになる。
【０００６】
しかしながら、商品Ｇの入った組立箱は、積み上げられた状態で保管・運搬されることが多いので、下段に位置する組立箱の斜め材２０５は大きな荷重に耐えなければならないが、斜め材２０５だけでは充分な耐圧強度が発揮できないという問題があった。
【０００７】
そこで、本発明は、組立箱の特徴である組立容易性を損なうことなく、突起部の構造強化を図ることができる被せ箱形式の組立箱を提供することを課題とする。
【課題を解決するための手段】
【０００８】
本発明者は、前記課題を解決するために鋭意研究を重ねて完成されたものである。
１．商品を収容するシート材製の身箱と、内側に突起部を有するシート材製の蓋箱とを備え、前記蓋箱を前記身箱に重ねたときに、蓋箱の突起部を前記身箱の外側板の上縁に係止させる被せ箱形式の組立箱において、前記蓋箱は、矩形状の天板の相対する２辺縁から連設される一対の第一外側板と、該第一外側板の先端から折目線部を介して連設される内側板と、天板の残りの相対する２辺縁から連設される一対の第二外側板とを備え、前記内側板の側部から折目線部を介して突片を連設し、該突片中に１又は複数の折曲線部を設け、前記突片の先端を係止するための切り込み部を前記内側板に形成し、前記突片中の前記折目線部で折り曲げると共に、前記突片の先端を前記内側板の前記切り込み部を係止することにより前記突起部を形成したことを特徴とする被せ箱形式の組立箱を提供する。
２．前記突片中に１の前記折曲線部を形成することにより、前記内側板と連続する第一突片部と該第一突片部を連続する第二突片部とを形成し、
前記第一突片部及び前記第二突片部を前記突片中の前記折目線部で折り曲げることによって平面視Ｖ字状の前記突起部を形成したことを特徴とする前記１に記載の被せ箱形式の組立箱を提供する。
３．一対の前記第二外側板を前記天板の両側の前記折目線部で下方に折り曲げ、前記第一外側板の内側に折り返された前記内側板の両側縁が一対の前記第二外側板の内側面に摩擦係止して前記内側板が元に戻らないように、前記内側板の幅寸法を、折り曲げられた一対の前記第二外側板の内寸法よりも僅かに大きくなるように設定したことを特徴とする前記１又は２に記載の被せ箱形式の組立箱を提供する。
【発明の効果】
【０００９】
本発明の被せ箱形式の組立箱によれば、前記内側板の側部から折目線部を介して突片を連設し、該突片中に１又は複数の折曲線部を設け、前記突片の先端を係止するための切り込み部を前記内側板に形成し、前記突片中の前記折目線部で折り曲げると共に、前記突片の先端を前記内側板の前記切り込み部を係止することにより前記突起部を形成したので、前記突起部は前記内側板と共に平面視多角形状の構造体を形成することになって、前記突起部の耐圧強度を向上させることができるので、前記突起部の信頼性を向上させることができる。
【００１０】
しかも、前記突片を折り返して該突片の先端を前記内側板の切り込み部に係止するので、上記従来技術のように全ての外側板について内側板を設ける必要がなくなり、材料費を節減できる。
【００１１】
また、前記突片中に１の前記折曲線部を形成することにより、前記内側板と連続する第一突片部と該第一突片部を連続する第二突片部とを形成し、前記第一突片部及び前記第二突片部を前記突片中の前記折目線部で折り曲げることによって平面視Ｖ字状の前記突起部を形成すれば、前記突起部の耐圧強度を向上させることができると共に、前記突起部を平面視略三角形状の安定構造にすることができるので、前記内側板からの前記突起部の突出状態を不用意に解消されるのを防止できて前記突起部の信頼性を向上させる。
【００１２】
また、前記第一外側板の内側に折り返された前記内側板の両側縁が一対の前記第二外側板の内側面の摩擦係止して前記内側板が元に戻らないように、前記内側板の幅寸法を、折り曲げられた一対の前記第二外側板の内寸法よりも僅かに大きくなるように設定すれば、組立性を更に向上させることができる。
【発明を実施するための最良の形態】
【００１３】
以下、本発明に係る被せ箱形式の組立箱の実施形態について図面を参照しつつ説明する。組立箱は図外の身箱と蓋箱１とからなり、図４のように蓋箱１の内側には突起部１Ａが設けられている。身箱及び蓋箱１は段ボールシート材で形成されている。
【００１４】
図１は蓋箱１の展開図であり、蓋箱１は矩形状の天板２を備え、該天板２の左右の２辺部から折目線部ａ１を介して第一外側板３が連設され、天板２の前後の２辺部から折目線部ａ２を介して第二外側板４を連設されている。
【００１５】
該第一外側板３の先端から折目線部ａ４を介して細幅板５が連設され、該細幅板５から折目線部ａ４を介して内側板６が連設されている。
【００１６】
前記内側板６の側部から折目線部ａ５を介して突片が連設されている。すなわち、前記内側板６の側部から折目線部ａ５を介して第一突片部７が連設され、該第一突片部７の先端から折目線部ａ６を介して第二突片部８が連設されている。また、第二突片部８の先端には係止突起９が形成される一方、内側板６には第二突片部８の係止突起９を係止するための切り込み部１０が形成されている。
【００１７】
第二外側板４の両側辺部からは折目線部ａ７を介して第一外側板３の長さの約１／２の長さの袖片１１，１２が連設され、一方の袖片１１の先部には係止突起１３が形成され、他方の袖片１２の先部には係止突起１３を係止するための凹部１４が形成されている。
【００１８】
そして、蓋箱Ａを組み立てる場合は、図２のように第二外側板４を折目線部ａ２で上方に折り曲げ、袖片１１，１２を内側に折り曲げて係止突起１３を係止凹部１４に嵌め込む。また、第一外側板３を折目線部ａ１で折り曲げて袖片１１，１２の外側面に重ねる。
次に、図３のように内側板６の第一突片部７を折目線部ａ５で折り曲げた後に、図４のように細幅板５及び内側板６を折目線部ａ４で折り曲げて内側板６を袖片１１，１２の内側面に重ね、第二突片部８を折目線部ａ６で折り返し、該第二突片部８の先端を内側板６の切り込み部１０に係止してＶ字状の突起部１Ａを蓋箱Ａの内側に配設する。
【００１９】
また、内側板６の両側縁６ａは第一外側板３の両側縁３ａよりも段ボールシート材の厚み分だけ外側方に突出している。したがって、折り返された内側板６の両側縁６ａは、折り曲げられた一対の第二外側板４の内側面の圧接して該内側面に摩擦係止させることによって内側板６が弾性復元力で戻るのを防止している。
【００２０】
また、突起部Ａ１は、図５（ａ）のように第一突片部７と第二突片部８との間に折目線部ａ５１を介して連なる折り曲げ部７ａを有する平面視略Ｖ字状に形成すれば、耐圧強度を更に向上させることができる。また、同図（ｂ）のように第二突片部８から折曲線部ａ６を介して第三突片部８ａを形成することにより平面視四角形状の突起部１Ａを形成するようにしても良い。また、更に折曲線部を介して突片部を連設することにより平面視が五角形以上の多角形状の突起部を形成するようにしても良い。
【００２１】
図６は組立箱イの改良品及び従来品についての耐圧試験を示し、同図（ａ）は組立箱の突起部が潰れる前の状態を示し、同図（ｂ）は組立箱アの突起部が潰れた後の状態（荷崩れ状態）を示している。
改良品及び従来品は、同一材料（段ボール製シート）で同一寸法であり、改良品は上述のように平面視Ｖ字状の突起部を有するものであり、従来品は上述の従来技術のように斜め片の突起部を有するものである。
【００２２】
この耐圧試験では商品入りの組立箱イを１０段積み上げたときと同条件下で、最下段の組立箱の突起部の耐圧強度を、室温で１０日間放置して測定した。
なお、組立箱イ一個当たりの商品の重さは１．５ｋｇであり、重りロは１２ｋｇである。試験の結果、改良品の耐圧強度は２．５２ｋＮであり、従来品の耐圧強度は０．８２ｋＮであって、改良品は従来品の約３倍の耐圧強度を有することが判明した。
【図面の簡単な説明】
【００２３】
【図１】本発明の実施形態の蓋箱を示す展開図である。
【図２】同蓋箱の組み立て工程を示す斜視図である。
【図３】同蓋箱の組み立て工程を示す斜視図である。
【図４】同蓋箱の組み立て工程を示す斜視図である。
【図５】（ａ）（ｂ）は同蓋箱の他の実施形態を示す図である。
【図６】組立箱の耐圧試験を示す概略図である。
【図７】組立箱を説明する断面図である。
【図８】組立箱を説明する断面図である。
【図９】従来の蓋箱を示す展開図である。
【図１０】同蓋箱を示す部分斜視図である。
【符号の説明】
【００２４】
１      蓋箱
１Ａ    突起部
２      天板
３      第一外側板
４      第二外側板
５      細幅板
６      内側板
７      第一突片部
８      第二突片部
９      係止突起
【図１】
2007069919.tif 000003
【図２】
2007069919.tif 000004
【図３】
2007069919.tif 000005
【図４】
2007069919.tif 000006
【図５】
2007069919.tif 000007
【図６】
2007069919.tif 000008
【図７】
2007069919.tif 000009
【図８】
2007069919.tif 000010
【図９】
2007069919.tif 000011
【図１０】
2007069919.tif 000012